(57)【要約】  【課題】  ノイズ発生源の調査を可能にする携帯端末を提供する。  【解決手段】  ＦＭラジオ放送局からの被変調信号を入力するＦＭアンテナ１２Ｂと、携帯電話基地局からの被変調信号を入力する通話用アンテナ２と、ＦＭアンテナ１２Ｂからの信号を受信するＦＭラジオ受信回路１０と、通話用アンテナ２からの信号を受信する送受信回路３と、ＦＭラジオ受信回路１０における受信状況を判別する第１の受信状況判別部１３と、送受信回路３における受信状況を判別する第２の受信状況判別部１４と、第１の受信状況判別部１３の出力及び第２の受信状況判別部１４の出力に基づいてＦＭラジオ受信回路１０における受信状況と送受信回路３における受信状況とを比較する比較部１５と、比較部１５による比較結果に応じた音量の音を出力する音声出力部７とを備える携帯端末。【選択図】      図１
2007074681.tif 000002
【特許請求の範囲】
【請求項１】
第１の被変調信号を入力する第１の入力手段と、
第２の被変調信号を入力する第２の入力手段と、
第１の入力手段からの信号を受信する第１の受信部と、
第２の入力手段からの信号を受信する第２の受信部と、
第１の受信部における受信状況を判別する第１の受信状況判別手段と、
第２の受信部における受信状況を判別する第２の受信状況判別手段と、
第１の受信状況判別手段の出力及び第２の受信状況判別手段の出力に基づいて第１の受信部における受信状況と第２の受信部における受信状況とを比較する比較手段と、
前記比較手段による比較結果に応じた報知を行う報知手段とを備えることを特徴とする携帯端末。
【請求項２】
第１の入力手段が可撓性を有する請求項１に記載の携帯端末。
【発明の詳細な説明】
【技術分野】
【０００１】
本発明は、携帯電話やＰＤＡ（Personal Digital Assistance）等の携帯端末に関する。
【背景技術】
【０００２】
従来より、被変調信号におけるノイズを抑圧又は除去する装置が種々提案されている（例えば、特許文献１を参照）。
【特許文献１】特開平８−１１６２７８号公報
【発明の開示】
【発明が解決しようとする課題】
【０００３】
しかしながら、ノイズを抑圧又は除去する装置は、その能力に限界があるためノイズに関する根本的解決策にはなり得ない。ノイズに関する根本的解決策は、ノイズ発生源を特定して除去することであり、それが実行されない限りノイズによる被害は無くならない。また、ノイズを抑圧又は除去する装置を携帯端末に適用した場合、携帯端末のコストアップにも繋がる。
【０００４】
本発明は、上記の問題点に鑑み、ノイズ発生源の調査を可能にする携帯端末を提供することを目的とする。
【課題を解決するための手段】
【０００５】
上記目的を達成するために本発明に係る携帯端末は、第１の被変調信号を入力する第１の入力手段と、第２の被変調信号を入力する第２の入力手段と、第１の入力手段からの信号を受信する第１の受信部と、第２の入力手段からの信号を受信する第２の受信部と、第１の受信部における受信状況を判別する第１の受信状況判別手段と、第２の受信部における受信状況を判別する第２の受信状況判別手段と、第１の受信状況判別手段の出力及び第２の受信状況判別手段の出力に基づいて第１の受信部における受信状況と第２の受信部における受信状況とを比較する比較手段と、前記比較手段による比較結果に応じた報知を行う報知手段とを備える構成とする。
【０００６】
このような構成によると、前記報知手段の報知によってノイズ発生源が存在する方向をユーザが把握することができ、ノイズ発生源の調査が可能となる。また、本発明に係る携帯端末は、ノイズを抑圧又は除去する装置に比べると構成が簡単であるためコストアップも少なくなる。
【０００７】
また、第１の入力手段が可撓性を有することが好ましい。これにより、第１の入力手段の方向を簡単に変えることができるようになる。
【発明の効果】
【０００８】
本発明に係る携帯端末によると、前記報知手段の報知によってノイズ発生源が存在する方向をユーザが把握することができ、ノイズ発生源の調査が可能となる。
【発明を実施するための最良の形態】
【０００９】
本発明の実施形態について図面を参照して以下に説明する。本発明に係る携帯端末として、ここで携帯電話を例に挙げて説明を行う。
【００１０】
本発明に係る携帯電話の構成例について図１の回路ブロック図を参照して説明する。本発明に係る携帯電話１は、携帯電話基地局からの被変調信号を入力するとともに携帯電話基地局に向けて電波を出力する通話用アンテナ２と、送受信回路３と、携帯電話全体の動作を制御する制御部４と、携帯電話の動作プログラム等を格納している不揮発性メモリ５と、音声を入力してその音声を音声データに変換する音声入力部６と、送受信回路３が受信した音声データ等を音声として出力する音声出力部７と、「０」〜「９」の各数字が割り当てられるテンキー及びそれぞれに異なる機能が割り当てられた機能キー等によって構成されるキー群である入力キー８と、ＬＣＤ（Liquid Crystal Display）等の表示装置９と、ＦＭラジオ受信回路１０と、イヤホンジャック１１と、ＦＭアンテナ付ステレオイヤホン１２と、第１の受信状況判別部１３と、第２の受信状況判別部１４と、比較部１５とを備える。送受信回路３の一部は、通話用アンテナ２からの信号を受信する受信回路として機能する。
【００１１】
ＦＭアンテナ付ステレオイヤホン１２は、イヤホンプラグ１２Ａと、リード線等から成り可撓性を有しＦＭラジオ放送局からの被変調信号を入力するＦＭアンテナ１２Ｂと、Ｒｃｈイヤホン１２Ｃと、Ｌｃｈイヤホン１２Ｄとを備える。ＦＭアンテナ付ステレオイヤホン１２のイヤホンプラグ１２Ａがイヤホンジャック１１に接続されている場合、ＦＭラジオ受信回路１０はＦＭアンテナ１２Ｂからの信号を受信する。
【００１２】
第１の受信状況判別部１３は、ＦＭラジオ受信回路１０における受信状況を判別する。本実施形態では、第１の受信状況判別部１３は、ＦＭラジオ受信回路１０が受信する信号のＣ／Ｎ（Carrier/Noise）比を算出し、ＦＭラジオ受信回路１０が受信する信号のＣ／Ｎ（Carrier/Noise）比の逆数をＦＭラジオ受信回路１０における受信状況として判別する。尚、誤り率、雑音加算前の受信信号電力値、雑音加算後の受信信号電力値に基づき、雑音が加算される前の受信信号ＣＮ比（Ｃ／Ｎ）を求めるとき、下記に示す演算式を使用する。
ｐ＝Ｐa／（Ｐb−Ｐa）
ｑ＝Ｂｅｒ-1〔ｂ〕
Ｃ／Ｎ＝ｑ（１＋ｐ）／（ｐ−ｑ）
但し、ｂ：雑音を加算した後の受信信号の誤り率
ｐ：雑音を加算する前の受信信号電力値と加算した雑音電力の比
ｑ：雑音を加算した後の受信信号のＣＮ比
Ｐa：雑音を加算する前の受信信号の電力値
Ｐb：雑音を加算した後の受信信号の電力値
Ｂｅｒ-1〔ｂ〕：誤り率"ｂ"からＣＮ比を求める逆関数
【００１３】
第２の受信状況判別部１４は、送受信回路３における受信状況を判別する。本実施形態では、第２の受信状況判別部１４は、送受信回路３が受信する信号のＣ／Ｎ比を算出し、送受信回路３が受信する信号のＣ／Ｎ比の逆数を送受信回路３における受信状況として判別する。例えば、本発明に係る携帯電話１がＣＤＭＡ（Code Division Multiple Access）方式を用いた携帯電話である場合、第２の受信状況判別部１４は、送受信回路３が受信する信号のＣ／Ｎ比を、送受信回路３内で直交復調することによって得られるＩ信号とＱ信号のばらつきから算出する。より具体的には、第２の受信状況判別部１４は、上記Ｉ信号と上記Ｑ信号とのコンスタレーションにおける収束ポイントのばらつきを検出し、送受信回路３が受信する信号のＣ／Ｎ比をその検出した収束ポイントのばらつきから算出する。
【００１４】
なお、Ｃ／Ｎ比は受信信号中のノイズ量を示しているので、Ｃ／Ｎ比の逆数が大きいほど受信状況が悪いことになる。
【００１５】
比較部１５は、第１の受信状況判別部１３によって判別されたＦＭラジオ受信回路１０が受信する信号のＣ／Ｎ比の逆数から、第２の受信状況判別部１４によって判別された送受信回路３が受信する信号のＣ／Ｎ比の逆数を引いた減算値を算出する。制御部４は、当該減算値に応じた音量の音を音声出力部７に出力させる、或いは当該減算値に応じたレベル表示を表示装置９が行うように表示装置９を制御する。以下の説明では、制御部４が、当該減算値と正の相関にある音量の音を音声出力部７に出力させるものとする。
【００１６】
続いて、本発明に係る携帯電話１を用いたノイズに関する根本的解決策の手順について図２のフローチャート及び図３の位置関係図を参照して説明する。
【００１７】
入力キー８に対してユーザが所定のキー操作を行うと、本発明に係る携帯電話１の制御部４は、第１の受信状況判別部１３、第２の受信状況判別部１４、及び比較部１５を動作状態にする（ステップ＃１０）。本発明に係る携帯電話１の周辺にノイズ源がある場合、第１の受信状況判別部１３、第２の受信状況判別部１４、及び比較部１５が動作状態になると、音声出力部７から音が出力される。
【００１８】
次に、ユーザは通話用アンテナ２の方向を固定した上でＦＭアンテナ１２Ｂの方向を色々と変えて、音声出力部７から出力される音の音量が最大となるＦＭアンテナ１２Ｂの方向を探す（ステップ＃２０）。図３に示すようにＦＭアンテナ付ステレオイヤホン１２内のＦＭアンテナ１２Ｂがノイズ発生源１６に最も近づく方向になったときに、音声出力部７から出力される音の音量が最大となる。
【００１９】
次に、ステップ＃２０で探し当てたＦＭアンテナ１２Ｂの方向にノイズ発生源１６があるので、ステップ＃２０で探し当てたＦＭアンテナ１２Ｂの方向を探索することによってノイズ発生源１６を特定し、特定したノイズ発生源１６を除去する（ステップ＃３０）。これにより、ノイズに関する根本的解決がつく。
【００２０】
なお、本発明に係る携帯端末は、被変調信号を入力する入力手段及び受信部をそれぞれ三つ以上有していても構わない。この場合、第１、第２の受信状況判別手段によって受信状況が判別される受信部を二つ選択することになる。
【図面の簡単な説明】
【００２１】
【図１】は、本発明に係る携帯電話の構成例を示す回路ブロック図である。
【図２】は、本発明に係る携帯電話を用いたノイズに関する根本的解決策の手順を示すフローチャートである。
【図３】は、本発明に係る携帯電話とノイズ発生源との位置関係を示す図である。
【符号の説明】
【００２２】
１    携帯電話
２    通話用アンテナ
３    送受信回路
４    制御部
５    不揮発性メモリ
６    音声入力部
７    音声出力部
８    入力キー
９    表示装置
１０    ＦＭラジオ受信回路
１１    イヤホンジャック
１２    ＦＭアンテナ付ステレオイヤホン
１２Ａ    イヤホンプラグ
１２Ｂ    ＦＭアンテナ
１２Ｃ    Ｒｃｈイヤホン
１２Ｄ    Ｌｃｈイヤホン
１３    第１の受信状況判別部
１４    第２の受信状況判別部
１５    比較部
１６    ノイズ発生源
【図１】
2007074681.tif 000003
【図２】
2007074681.tif 000004
【図３】
2007074681.tif 000005